(57)【要約】      （修正有）【課題】二酸化チタンにフタロシアニンを担持させたフタロシアニン担持光熱触媒を用いて、光がない状態でも抗菌、除菌、除臭、空気清浄効果を持続させることが可能な方法を提供する。【解決手段】フタロシアニンと二酸化チタンを混合し、さらに担持補助剤としてアクリル樹脂や卵白などの粘着性に優れた物質を添加して工業用乳鉢で一定時間適度に摺ることにより、二酸化チタンの表面にフタロシアニン顔料が定着し染料として繊維糸に染め合う状態を作り出し、フタロシアニン熱触媒と二酸化チタン光触媒による相乗効果が発揮されるフタロシアニン担持光熱触媒フォトサーマルカタリストを用いる方法。【選択図】図３
2009207506.tif 000002
【特許請求の範囲】
【請求項１】
光触媒反応物質である二酸化チタンに、可視光ばかりでなく赤外線カメラで反応するレベルの熱を帯びた赤外線によっても触媒反応をし、さらに光が無くても触媒反応をするフタロシアニンを担持させることによるフタロシアニン主体のフタロシアニン担持光熱触媒とすることで、光がない状態でも抗菌、除菌、除臭、空気清浄効果が持続することが可能となる方法をもった、光触媒効果を持つ二酸化チタンにより、太陽光と触媒反応をして、アレルゲンなどの有害物質などを完全に分解することが出来るところの相乗効果を持つフタロシアニン担持光熱触媒物質による有害物質の除去、抗菌、消臭方法。
【請求項２】
フタロシアニンを主触媒とする技術的思想に基づき、定着剤とフタロシアニンと二酸化チタンを混合して塗布するあるいは別々に基体に塗布するが、二酸化チタンの含有容量に対して０．０１〜５０％容量とするフタロシアニンは、光のないときでも常温で有機化合物を吸着し、吸着の際にフタロシアニンは空気中の有機化合物を分解し、昼間は光触媒反応を行う二酸化チタンによって有害物質を分解する効果を発揮し、夜間はフタロシアニンで吸着分解をするフタロシアニンを主触媒として空気中の有機化合物を分解し除去させる方法をもった、光触媒効果を持つ二酸化チタンにより、太陽光と触媒反応をして、アレルゲンなどの有害物質などを完全に分解することが出来るところの相乗効果を持つフタロシアニン担持光熱触媒物質による有害物質の除去、抗菌、消臭方法。
【請求項３】
フタロシアニンと二酸化チタンを混合して水などの希釈液と混ぜただけではきれいに分散することは難しいため、透明な希釈液に担持補助剤としてアクリル樹脂や卵白などの粘着性に優れた物質を入れて、希釈液とフタロシアニン顔料と二酸化チタンを混ぜて工業用乳鉢で一定時間適度に摺ることで二酸化チタンの表面にフタロシアニン顔料が定着し染料としてフタロシアニンと二酸化チタンが互いに個別に吸着し合って繊維糸に染め合う状態の、光触媒効果を持つ二酸化チタンにより、太陽光と触媒反応をして、アレルゲンなどの有害物質などを完全に分解することが出来るところの相乗効果を持つフタロシアニン担持光熱触媒物質による有害物質の除去、抗菌、消臭方法。
【請求項４】
フタロシアニンで染色した繊維が代表的なアレルゲンであるハウスダスト、花粉及び穀物アレルゲンを吸着し、界面活性剤存在下の洗濯漕の中で容易に剥がれ、アレルゲン物質の吸着と可逆的である脱離現象が容易に行われつつ、一方で光触媒効果を持つ二酸化チタンにより、太陽光と触媒反応をして、アレルゲンなどの有害物質などを分解することが出来るところの相乗効果を持つフタロシアニン担持光熱触媒物質による有害物質の除去、抗菌、消臭方法。
【請求項５】
０．１容量％未満であると汚れ等の有機物などが分解されず、十分な光熱触媒作用を発揮することができないためであり、２０容量％を超えると、基体の表面の透明性が得られないという不都合を生ずるものであるところの二酸化チタンの含有量に対して０．０１〜５０容量％とするフタロシアニン物質を混合することで、青色傾向をもつフタロシアニン物質を用途によりチタン化合物により白濁化できるところのフタロシアニン担持光熱触媒物質による方法。
【請求項６】
フタロシアニンと二酸化チタンを混ぜることで、二酸化チタンを染色し、かつ物質的に二酸化チタンをくるんで基盤細孔内においてボトルシップ合成法により微細孔材料の細孔内に合成し、さらに細孔内の骨格中の金属イオンを電子分解された他の金属イオンと交換することができる、主に有害物質の分解を標的とした触媒を目的とした、光触媒効果を持つ二酸化チタンにより、太陽光と触媒反応をして、アレルゲンなどの有害物質などを完全に分解することが出来るところの相乗効果を持つフタロシアニン担持光熱触媒物質による有害物質の除去、抗菌、消臭方法。
【請求項７】
窓ガラス、ガードレール、壁、屋根、電化製品、繊維並びに不繊維製品などの基体表面にも塗布することが出来、一方でワイシャツ、アンダーウエア、スーツ、イージーオーダー、フォーマル、ワイシャツ、ネクタイ、デニム、セーター、Ｔシャツ、インナー、皮、毛皮、パジャマ、ドレス、着物、長襦袢、子供服、インナー、有松絞り、白衣（ナース）、白衣（食品）白衣（医院）、白衣（介護）、オフィス作業衣、制服、学生服、介護用品、介護用品（シーツ）、ゴルフパンツ、ゴルフシャツ、アスレチック、スキー、スノーボード、水着、帽子、武道着、登山、スノーボード、運動着、パジャマ、布団、シーツ、枕カバー、タオル、毛布、こたつ掛け、カーテン、ロールカーテン、カーペット、寝具、マスク、インソール、靴、靴下、モップ、袋、トイレタリー、タオル、マスク、糸、布製かばん、シートカバー、カーシート、消臭エスカレーター、電車、冷風機、ワイパー、内装、加工液、不織布、資材、コーティング、芯地、農業用手袋、洗濯スプレーとしても光熱触媒物品を簡易に塗布あるいは染色することが出来る、光触媒効果を持つ二酸化チタンにより、太陽光と触媒反応をして、アレルゲンなどの有害物質などを完全に分解することが出来るところの相乗効果を持つフタロシアニン担持光熱触媒物質による有害物質の除去、抗菌、消臭方法。
【請求項８】
フタロシアニン色素とチタン化合物色素及び定着剤を加えて水溶液中で混合しその混合比率が０．０１：１０〜１：１０〜５：１０の容積となるような混合液の中に天然あるいは人工の繊維を含浸させ、一定割合の加熱を加えることで繊維に染色を施した方法をもつ、光触媒効果を持つ二酸化チタンにより、太陽光と触媒反応をして、アレルゲンなどの有害物質などを完全に分解することが出来るところの相乗効果を持つフタロシアニン担持光熱触媒物質による有害物質の除去、抗菌、消臭方法。
【請求項９】
フタロシアニン色素とチタン化合物色素を配合することで、視覚的な清潔感を出すことによってイメージとして消臭効果を醸す機能を併せ持つ効果的色彩配合をもった、光触媒効果を持つ二酸化チタンにより、太陽光と触媒反応をして、アレルゲンなどの有害物質などを完全に分解することが出来るところの相乗効果を持つフタロシアニン担持光熱触媒物質による有害物質の除去、抗菌、消臭方法。
【請求項１０】
天然由来の定着剤を用いることで、従来の石油系定着剤の人体に対する悪影響を一切取り除いた、光触媒効果を持つ二酸化チタンにより、太陽光と触媒反応をして、アレルゲンなどの有害物質などを完全に分解することが出来るところの相乗効果を持つフタロシアニン担持光熱触媒物質による有害物質の除去、抗菌、消臭方法。
【請求項１１】
定着剤は、油成分を有するものであって、この油成分は、天然物由来のワックスやミネラルスピリット系溶剤、植物油などと、慣用の界面活性剤とで構成される油成分として、このうち、天然物由来のワックスとしては、カルバナロウ、キャンデリラロウ、コメヌカロウ、オウリキュリロウ、サトウキビロウ、ホホバロウ、油糧種子ロウ、モクロウ、ウルシロウ、蜜蝋などがあり、少なくともこの群からの一種類を選べば良く、これら油成分は、撥水性を発揮し、塗布表面に艶が出て、合成樹脂を相溶する特性がある、光触媒効果を持つ二酸化チタンにより、太陽光と触媒反応をして、アレルゲンなどの有害物質などを完全に分解することが出来るところの相乗効果を持つフタロシアニン担持光熱触媒物質による有害物質の除去、抗菌、消臭方法。
【請求項１２】
汗をかきやすくまた外からは見えない部分である裏地部分にはフタロシアニンの配分を大きくする、または汗の出やすい脇部や首周り足裏部にワンポイントで塗布をして工夫する、光触媒効果を持つ二酸化チタンにより、太陽光と触媒反応をして、アレルゲンなどの有害物質などを完全に分解することが出来るところの相乗効果を持つフタロシアニン担持光熱触媒物質による有害物質の除去、抗菌、消臭方法。
【発明の詳細な説明】
【技術分野】
【０００１】本発明は、二酸化チタンなどの光熱触媒体を利用した空気清浄効果と殺菌、消臭を最大限に活用するための各種関連技術に関するものである。
【背景技術】
【０００２】二酸化チタンなどの光触媒物質を利用して空気中の有害な有機物や臭気を除去する手法やその周辺関連技術は、従来から多くの提案がなされている。【０００３】フタロシアニン物質の熱触媒効果を利用した有害物質の除去や消臭効果すなわち、従来、基体の表面に付着した汚れや有害な有機物などを除去する方法として知られている。【０００４】フタロシアニン物質は、平面分子構造をとり、また強い色を呈するが、特に錯体によっては青から緑色を呈するものが多く、耐久性にすぐれることから顔料として使用される。【０００５】銅フタロシアニン系はフタロシアニンブルーと、高塩素化銅フタロシアニン系はフタロシアニングリーンと呼ばれ、それぞれ青ないし緑の有機顔料の代表的なものとして知られており、したがって、これらの顔料系フタロシアニン物質を使って繊維基材や基盤に塗布すると、一般的には青色系の発色が見られる。
フタロシアニン物質の色素や機能を利用した発明については以下のような文献が存在している。
【特許文献１】  特開２００５−１５３５１１号公報
【特許文献２】  特開２００６−２６９８１９号公報
【発明の開示】
【発明が解決しようとする課題】
【０００６】しかしながら、フタロシアニン物質の平面分子構造が定着剤を使った表面途布の場合はフタロシアン物質が表面から定着剤内部に隠れてしまい、効果的な触媒効果を発揮できずにいた。【０００７】本発明はこのような従来技術における課題を解消すべく検討を重ねて創案されたものであり、従来の二酸化チタンを利用した光触媒の考え方の視点を変えてフタロシアニンを主触媒として活用する方法である。【０００８】また本発明は、二酸化チタンの表面にフタロシアニン分子を吸着させることで効果的な色素を出すだけでなく、光と熱による触媒効果を充分に発揮できることを目的としている。【０００９】即ち、フタロシアニンの触媒効果と二酸化チタンの光熱触媒効果を効果的に連結させることで昼夜あるいは光の有無を問わずに空気中の有害な有機化合物や臭気を除去することを可能とする光熱触媒による新規な手法を提案しようとするものである。【００１０】特に、繊維状からなる織布および不織布に塗りこめられた光熱触媒物品に係り、また、窓ガラス、ガードレール、壁、屋根、電化製品壁面、紙、インク、墨などの基体表面に光熱触媒物品を簡易に塗布する方法に関するものである。【００１１】また、基体の上に付着した汚れや有害な有機物を紫外線の光によって光熱触媒組成物を励起して分解除去するだけにとどまらず、光の無いところでも有害な有機化合物や臭気を除去する触媒効果を併せ持ち、その循環サイクルによって相乗的に有害物質や臭気要因を効果的に除去することの出来る光熱触媒層の形成方法に関するものである。【００１２】フタトシアニンに二酸化チタンの白濁粉末を加えて溶剤で混合させると、用途に応じて適度な白色を帯びかつ透明感のあるブルーを発することが出来る。これにより、時には配合を調節したり色を変えて、ワイシャツ、スーツ、あるいはアンダーウエアとしても壁剤や外壁剤の上にも塗布することができる。【００１３】本発明は、このようなフタロシアニン物質と二酸化チタンの混合によるフタロシアニン担持光熱触媒物質を産業的に広く提供せんとする分野における技術である。
【課題を解決するための手段】
【００１４】（１）光触媒反応物質である二酸化チタンに、可視光ばかりでなく赤外線カメラで反応するレベルの熱を帯びた赤外線によっても触媒反応をし、さらに光が無くても触媒反応をするフタロシアニンを担持させることによるフタロシアニン主体のフタロシアニン担持光熱触媒とすることで、光がない状態でも抗菌、除菌、除臭、空気清浄効果が持続することが可能となる方法をもった、光触媒効果を持つ二酸化チタンにより、太陽光と触媒反応をして、アレルゲンなどの有害物質などを完全に分解することが出来るところの相乗効果を持つフタロシアニン担持光熱触媒物質による有害物質の除去、抗菌、消臭方法。【００１５】（２）フタロシアニンを主触媒とする技術的思想に基づき、定着剤とフタロシアニンと二酸化チタンを混合して塗布するあるいは別々に基体に塗布するが、二酸化チタンの含有容量に対して０．０１〜５０％容量とするフタロシアニンは、光のないときでも常温で有機化合物を吸着し、吸着の際にフタロシアニンは空気中の有機化合物を分解し、昼間は光触媒反応を行う二酸化チタンによって有害物質を分解する効果を発揮し、夜間はフタロシアニンで吸着分解をするフタロシアニンを主触媒として空気中の有機化合物を分解し除去させる方法をもった、光触媒効果を持つ二酸化チタンにより、太陽光と触媒反応をして、アレルゲンなどの有害物質などを完全に分解することが出来るところの相乗効果を持つフタロシアニン担持光熱触媒物質による有害物質の除去、抗菌、消臭方法。【００１６】（３）フタロシアニンと二酸化チタンを混合して水などの希釈液と混ぜただけではきれいに分散することは難しいため、透明な希釈液に担持補助剤としてアクリル樹脂や卵白などの粘着性に優れた物質を入れて、希釈液とフタロシアニン顔料と二酸化チタンを混ぜて工業用乳鉢で一定時間適度に摺ることで二酸化チタンの表面にフタロシアニン顔料が定着し染料としてフタロシアニンと二酸化チタンが互いに個別に吸着し合って繊維糸に染め合う状態の、光触媒効果を持つ二酸化チタンにより、太陽光と触媒反応をして、アレルゲンなどの有害物質などを完全に分解することが出来るところの相乗効果を持つフタロシアニン担持光熱触媒物質による有害物質の除去、抗菌、消臭方法。【００１７】（４）フタロシアニンで染色した繊維が代表的なアレルゲンであるハウスダスト、花粉及び穀物アレルゲンを吸着し、界面活性剤存在下の洗濯漕の中で容易に剥がれ、アレルゲン物質の吸着と可逆的である脱離現象が容易に行われつつ、一方で光触媒効果を持つ二酸化チタンにより、太陽光と触媒反応をして、アレルゲンなどの有害物質などを分解することが出来るところの相乗効果を持つフタロシアニン担持光熱触媒物質による有害物質の除去、抗菌、消臭方法。【００１８】（５）０．１容量％未満であると汚れ等の有機物などが分解されず、十分な光熱触媒作用を発揮することができないためであり、２０容量％を超えると、基体の表面の透明性が得られないという不都合を生ずるものであるところの二酸化チタンの含有量に対して０．０１〜５０容量％とするフタロシアニン物質を混合することで、青色傾向をもつフタロシアニン物質を用途によりチタン化合物により白濁化できるところのフタロシアニン担持光熱触媒物質による方法。【００１９】（６）フタロシアニンと二酸化チタンを混ぜることで、二酸化チタンを染色し、かつ物質的に二酸化チタンをくるんで基盤細孔内においてボトルシップ合成法により微細孔材料の細孔内に合成し、さらに細孔内の骨格中の金属イオンを電子分解された他の金属イオンと交換することができる、主に有害物質の分解を標的とした触媒を目的とした、光触媒効果を持つ二酸化チタンにより、太陽光と触媒反応をして、アレルゲンなどの有害物質などを完全に分解することが出来るところの相乗効果を持つフタロシアニン担持光熱触媒物質による有害物質の除去、抗菌、消臭方法。【００２０】（７）窓ガラス、ガードレール、壁、屋根、電化製品、繊維並びに不繊維製品などの基体表面にも塗布することが出来、一方でワイシャツ、アンダーウエア、スーツ、イージーオーダー、フォーマル、ワイシャツ、ネクタイ、デニム、セーター、Ｔシャツ、インナー、皮、毛皮、パジャマ、ドレス、着物、長襦袢、子供服、インナー、有松絞り、白衣（ナース）、白衣（食品）白衣（医院）、白衣（介護）、オフィス作業衣、制服、学生服、介護用品、介護用品（シーツ）、ゴルフパンツ、ゴルフシャツ、アスレチック、スキー、スノーボード、水着、帽子、武道着、登山、スノーボード、運動着、パジャマ、布団、シーツ、枕カバー、タオル、毛布、こたつ掛け、カーテン、ロールカーテン、カーペット、寝具、マスク、インソール、靴、靴下、モップ、袋、トイレタリー、タオル、マスク、糸、布製かばん、シートカバー、カーシート、消臭エスカレーター、電車、冷風機、ワイパー、内装、加工液、不織布、資材、コーティング、芯地、農業用手袋、洗濯スプレーとしても光熱触媒物品を簡易に塗布あるいは染色することが出来る、光触媒効果を持つ二酸化チタンにより、太陽光と触媒反応をして、アレルゲンなどの有害物質などを完全に分解することが出来るところの相乗効果を持つフタロシアニン担持光熱触媒物質による有害物質の除去、抗菌、消臭方法。【００２１】（８）フタロシアニン色素とチタン化合物色素及び定着剤を加えて水溶液中で混合しその混合比率が０．０１：１０〜１：１０〜５：１０の容積となるような混合液の中に天然あるいは人工の繊維を含浸させ、一定割合の加熱を加えることで繊維に染色を施した方法をもつ、光触媒効果を持つ二酸化チタンにより、太陽光と触媒反応をして、アレルゲンなどの有害物質などを完全に分解することが出来るところの相乗効果を持つフタロシアニン担持光熱触媒物質による有害物質の除去、抗菌、消臭方法。【００２２】（９）フタロシアニン色素とチタン化合物色素を配合することで、視覚的な清潔感を出すことによってイメージとして消臭効果を醸す機能を併せ持つ効果的色彩配合をもった、光触媒効果を持つ二酸化チタンにより、太陽光と触媒反応をして、アレルゲンなどの有害物質などを完全に分解することが出来るところの相乗効果を持つフタロシアニン担持光熱触媒物質による有害物質の除去、抗菌、消臭方法。【００２３】（１０）天然由来の定着剤を用いることで、従来の石油系定着剤の人体に対する悪影響を一切取り除いた、光触媒効果を持つ二酸化チタンにより、太陽光と触媒反応をして、アレルゲンなどの有害物質などを完全に分解することが出来るところの相乗効果を持つフタロシアニン担持光熱触媒物質による有害物質の除去、抗菌、消臭方法。【００２４】（１１）定着剤は、油成分を有するものであって、この油成分は、天然物由来のワックスやミネラルスピリット系溶剤、植物油などと、慣用の界面活性剤とで構成される油成分として、このうち、天然物由来のワックスとしては、カルバナロウ、キャンデリラロウ、コメヌカロウ、オウリキュリロウ、サトウキビロウ、ホホバロウ、油糧種子ロウ、モクロウ、ウルシロウ、蜜蝋などがあり、少なくともこの群からの一種類を選べば良く、これら油成分は、撥水性を発揮し、塗布表面に艶が出て、合成樹脂を相溶する特性がある、光触媒効果を持つ二酸化チタンにより、太陽光と触媒反応をして、アレルゲンなどの有害物質などを完全に分解することが出来るところの相乗効果を持つフタロシアニン担持光熱触媒物質による有害物質の除去、抗菌、消臭方法。【００２５】（１２）汗をかきやすくまた外からは見えない部分である裏地部分にはフタロシアニンの配分を大きくする、または汗の出やすい脇部や首周り足裏部にワンポイントで塗布をして工夫する、光触媒効果を持つ二酸化チタンにより、太陽光と触媒反応をして、アレルゲンなどの有害物質などを完全に分解することが出来るところの相乗効果を持つフタロシアニン担持光熱触媒物質による有害物質の除去、抗菌、消臭方法。
【発明の効果】
【００２６】本発明は、光触媒反応物質である二酸化チタンに、可視光ばかりでなく赤外線カメラで反応するレベルの熱を帯びた赤外線によっても触媒反応をし、さらに光が無くても触媒反応をするフタロシアニンを担持させることによるフタロシアニン主体のフタロシアニン担持光熱触媒とすることで、光がない状態でも抗菌、除菌、除臭、空気清浄効果が持続することが可能となる方法をもった、光触媒効果を持つ二酸化チタンにより、太陽光と触媒反応をして、アレルゲンなどの有害物質などを完全に分解することが出来るところの相乗効果を持つフタロシアニン担持光熱触媒物質による有害物質の除去、抗菌、消臭ができるようになった。【００２７】そこで、フタロシアニンを主触媒とする技術的思想に基づき、定着剤とフタロシアニンと二酸化チタンを混合して塗布するあるいは別々に基体に塗布するが、二酸化チタンの含有容量に対して０．０１〜５０％容量とするフタロシアニンは、光のないときでも常温で有機化合物を吸着し、吸着の際にフタロシアニンは空気中の有機化合物を分解し、昼間は光触媒反応を行う二酸化チタンによって有害物質を分解する効果を発揮し、夜間はフタロシアニンで吸着分解をするフタロシアニンを主触媒として空気中の有機化合物を分解し除去させることが可能となった。【００２８】一方で、フタロシアニンと二酸化チタンを混合して水などの希釈液と混ぜただけではきれいに分散することは難しいため、透明な希釈液に担持補助剤としてアクリル樹脂や卵白などの粘着性に優れた物質を入れて、希釈液とフタロシアニン顔料と二酸化チタンを混ぜて工業用乳鉢で一定時間適度に摺ることで二酸化チタンの表面にフタロシアニン顔料が定着し染料としてフタロシアニンと二酸化チタンが互いに個別に吸着し合って繊維糸に染め合う状態を作り出した。【００２９】フタロシアニンで染色した繊維が代表的なアレルゲンであるハウスダスト、花粉及び穀物アレルゲンを吸着し、界面活性剤存在下の洗濯漕の中で容易に剥がれ、アレルゲン物質の吸着と可逆的である脱離現象が容易に行われることが出来た。【００３０】０．１容量％未満であると汚れ等の有機物などが分解されず、十分な光熱触媒作用を発揮することができないためであり、２０容量％を超えると、基体の表面の透明性が得られないという不都合を生ずるものであるところの二酸化チタンの含有量に対して０．０１〜５０容量％とするフタロシアニン物質を混合することで、青色傾向をもつフタロシアニン物質を用途によりチタン化合物により白濁化できた。【００３１】フタロシアニンと二酸化チタンを混ぜることで、二酸化チタンを染色し、かつ物質的に二酸化チタンをくるんで基盤細孔内においてボトルシップ合成法により微細孔材料の細孔内に合成し、さらに細孔内の骨格中の金属イオンを電子分解された他の金属イオンと交換することができることで、主に有害物質の分解を標的とした触媒を可能とした。【００３２】以上のような方法で、窓ガラス、ガードレール、壁、屋根、電化製品、繊維並びに不繊維製品などの基体表面にも塗布することが出来、一方でワイシャツ、アンダーウエア、スーツ、イージーオーダー、フォーマル、ワイシャツ、ネクタイ、デニム、セーター、Ｔシャツ、インナー、皮、毛皮、パジャマ、ドレス、着物、長襦袢、子供服、インナー、有松絞り、白衣（ナース）、白衣（食品）白衣（医院）、白衣（介護）、オフィス作業衣、制服、学生服、介護用品、介護用品（シーツ）、ゴルフパンツ、ゴルフシャツ、アスレチック、スキー、スノーボード、水着、帽子、武道着、登山、スノーボード、運動着、パジャマ、布団、シーツ、枕カバー、タオル、毛布、こたつ掛け、カーテン、ロールカーテン、カーペット、寝具、マスク、インソール、靴、靴下、モップ、袋、トイレタリー、タオル、マスク、糸、布製かばん、シートカバー、カーシート、消臭エスカレーター、電車、冷風機、ワイパー、内装、加工液、不織布、資材、コーティング、芯地、農業用手袋、洗濯スプレーとしても光熱触媒物品を簡易に塗布あるいは染色することが出来るようになった。【００３３】フタロシアニン色素とチタン化合物色素及び定着剤を加えて水溶液中で混合しその混合比率が０．０１：１０〜１：１０〜５：１０の容積となるような混合液の中に天然あるいは人工の繊維を含浸させ、一定割合の加熱を加えることで繊維に染色を施したことが出来た。【００３４】フタロシアニン色素とチタン化合物色素を配合することで、視覚的な清潔感を出すことによってイメージとして消臭効果を醸す機能を併せ持つ効果的色彩配合をもつことが出来た。【００３５】さらに、天然由来の定着剤を用いることで、従来の石油系定着剤の人体に対する悪影響を一切取り除くことが出来た。【００３６】定着剤は、油成分を有するものであって、この油成分は、天然物由来のワックスやミネラルスピリット系溶剤、植物油などと、慣用の界面活性剤とで構成される油成分として、このうち、天然物由来のワックスとしては、カルバナロウ、キャンデリラロウ、コメヌカロウ、オウリキュリロウ、サトウキビロウ、ホホバロウ、油糧糧子ロウ、モクロウ、ウルシロウ、蜜蝋などがあり、少なくともこの群からの一種類を選べば良く、これら油成分は、撥水性を発揮し、塗布表面に艶が出て、アクリル系合成樹脂を相溶する特性をもつようになった。【００３７】汗をかきやすくまた外からは見えない部分である裏地部分にはフタロシアニンの配分を大きくする、または汗の出やすい脇部や首周り足裏部にワンポイントで塗布をして工夫することが出来た。
【発明を実施するための最良の形態】
【００３８】上記してきたような本発明のフタロシアニンを主触媒として空気中の有機化合物を分解し除去させる方法に関する具体的な実施形態の若干例を、添付図面等を利用しながら以下説明する。
まず、有機化合物等を適切に分解除去して空気清浄効果を発揮させる上でフタロシアニンを主触媒とし、光触媒物質である二酸化チタンを補助触媒とする技術的思想について説明するが、これは、従来は、二酸化チタンなどの光触媒物質を利用して空気清浄を図る場合に、光触媒作用による酸化・還元反応を利用して空気中の有機化合物等を分解・除去するという発想に基づき多様な研究開発がなされてきていたところ、とくに光の少ない部分や光の当たらない部所ならびに夜間などは、光触媒効果が容易には得られないことの改善研究が本発明のスタートとなっているものである。【００３９】すなわち、より効率的な抗菌、除菌、除臭、空気清浄効果を光熱触媒物質により達成するために、光触媒層の形成方法や基体への有効な塗布ならびに染色層を実現するための物品、分散剤より光触媒物質粒子を万遍なく分散させる手法などに関して鋭意研究開発が進んでいるが、なお期待どおりの成果が得られていない現状があったのである。【００４０】発明者は、このような現状の原因究明を行っている過程で、補助的機能を果たす助剤としてフタロシアニンを含有させた光熱触媒物質を利用したところ、夜間のように外部からの光線が遮断された状態や可視光が全くない状態にあっても、なお一定の時間は抗菌、除菌、除臭、空気清浄効果が存在することに着目したのである。【００４１】ここで、発明者は、フタロシアニンにも触媒としての酸化還元作用があることに着目したが、元来フタロシアニンは顔料系物質であり、それのみでは基盤に吸着させたり染み込ませたりすることが難しいばかりか、長期に渡って吸着あるいは塗布、もしくは染色状態を維持することが難しいものであった。【００４２】そこで、光触媒効果を持つ二酸化チタンの親水性と溶剤の中での分散効果に着目したばかりでなく、フタロシアニン物質の色素を用途に応じて白濁化させることが出来ることを発見した。【００４３】さらに、顔料系色素を補助剤であるアクリル系樹脂等の希釈剤を使うことでより均等に溶剤に溶かすことが出来、基体に容易に染めること、塗布することが可能となった。【００４４】すなわち、発明者は、空気清浄化機能を果たす主たる触媒としてはフタロシアニンを用い、フタロシアニンの表面に吸着した有毒な有機化合物を分解するために二酸化チタンなどの光触媒物質を利用するという新たな発想に到達し、本発明を完成したものである。【００４５】具体的に、フタロシアニンを主触媒とする技術的思想に基づき、定着剤とフタロシアニンと二酸化チタンを混合して塗布するあるいは別々に基体に塗布するが、二酸化チタンの含有容量に対して０．０１〜５０％容量とするフタロシアニンは、光のないときでも常温で有機化合物を吸着し、吸着の際にフタロシアニンは空気中の有機化合物を分解し、昼間は光触媒反応を行う二酸化チタンによって有害物質を分解する効果を発揮し、夜間はフタロシアニンで吸着分解をするフタロシアニンを主触媒として空気中の有機化合物を分解し除去させる方法に至った。【００４６】図１はフタロシアニン担持光熱触媒個別塗布図であり、本発明のフタロシアニン担持光熱触媒方法において、フタロシアニン層と二酸化チタン層を別々に基体に形成した場合の形態を示したものである。１は太陽光などの可視光と熱であり、２は二酸化チタン層、３はフタロシアニン層、４は基体層、５は外部熱である。【００４７】図２は、フタロシアニン担持光熱触媒二酸化チタン混合塗布図であり、本発明のフタロシアニン担持光熱触媒方法において、フタロシアニンと二酸化チタンを混合し、フタロシアニン担持二酸化チタン物質層を、基体に形成した場合の形態を示したものである。１’は太陽光などの可視光と熱であり、２’はフタロシアニン担持二酸化チタン物質層であり、３’は基体層、４’は外部熱である。【００４８】図３は、フタロシアニン担持光熱触媒繊維吸着断面図であり、本発明のフタロシアニン担持光熱触媒方法において、フタロシアニンと二酸化チタンを混合し、フタロシアニン担持二酸化チタン物質を、基体としての繊維糸に付着させた場合の形態を示したものである。１”は太陽光などの可視光と熱であり、２”はフタロシアニン担持二酸化チタン物質層であり、３”は外部熱であり、４”は基体としての繊維糸の断面である。
【産業上の利用可能性】
【００４９】以上説明してきたような本発明によるときは、フタロシアニンを主触媒として二酸化チタンを副触媒として機能するフタロシアニン担持光熱触媒物質を利用して昼夜の別、光の有無なく触媒効果を発揮させ、抗菌、除菌、除臭、空気清浄効果を発揮させる機能を簡易かつ安価に社会に提供することを可能としたものであり、その手段として従来触媒効果を及ぼすことが難しかったりまた一時的に及ぼしたとしてもすぐに剥離してしまうようなことのないような効果を向上させたものであり、特に着衣の内部にまで触媒効果を有効に働かせるための新たな手段を提供していることで、本発明は、産業上の利用可能性において優れた発明であると理解されるものである。
【図面の簡単な説明】
【００５０】
【図１】フタロシアニン担持光熱触媒個別塗布図
【図２】フタロシアニン担持光熱触媒二酸化チタン混合塗布図
【図３】フタロシアニン担持光熱触媒繊維吸着断面図
【符号の説明】
【００５１】１は太陽光などの可視光と熱
２は二酸化チタン層
３はフタロシアニン層
４は基体層
５は外部熱
１’は太陽光などの可視光と熱
２’はフタロシアニン担持二酸化チタン物質層
３’は基体層
４’は外部熱
１”は太陽光などの可視光と熱
２”はフタロシアニン担持二酸化チタン物質層
３”は外部熱であり
４”は基体としての繊維糸の断面
【図１】
2009207506.tif 000003
【図２】
2009207506.tif 000004
【図３】
2009207506.tif 000005